【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  制御信号に応じて休止相および稼働相の２つの相を交番する差動型センスアンプ回路であって、
第１の論理入力端子と、
第２の論理入力端子と、
第１の論理出力端子と、
第２の論理出力端子と、
センスアンプと、
初期設定手段と、
第１の切替手段と、
第２の切替手段と、
接続制御手段と、
を備え、
前記センスアンプは、
第１のインバータと第２のインバータを有し、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、
前記初期設定手段は、
休止相を示す制御信号を受けて上記第１の論理入力端子および第２の論理入力端子を基準電位に初期設定し、
前記第１の切替手段は、
上記第１の論理入力端子と第１の論理出力端子とを制御端子の電位に応じて電気的に接続または切り離し、
前記第２の切替手段は、
上記第２の論理入力端子と第２の論理出力端子とを制御端子の電位に応じて電気的に接続または切り離し、
前記接続制御手段は、
上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段と、
稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段と、
を有する差動型センスアンプ回路。
【請求項２】  上記初期設定手段は、
上記第１の論理出力端子と基準電位との間に接続され、休止相を示す制御信号を制御端子に受けて導通する第１のスイッチ素子と、
上記第２の論理出力端子と基準電位との間に接続され、休止相を示す制御信号を制御端子に受けて導通する第２のスイッチ素子と、
を含む
請求項１記載の差動型センスアンプ回路。
【請求項３】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第１のスイッチ素子を含み、
上記第２の設定手段は、
上記第１の切換手段および第２の切換手段とを切り離し状態とすることが可能な第２の電源電位と上記制御節点間に接続され、制御端子が上記第１の論理出力端子に接続され、第１の論理出力電位が第１のレベルのときに導通する第２のスイッチ素子と、上記第２の電源電位と上記制御節点間に接続され、制御端子が上記第２の論理出力端子に接続され、第２の論理出力電位が第１のレベルのときに導通する第３のスイッチ素子とを含む
請求項１記載の差動型センスアンプ回路。
【請求項４】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第３のスイッチ素子を含み、
上記第２の設定手段は、
上記第１の切換手段および第２の切換手段とを切り離し状態とすることが可能な第２の電源電位と上記制御節点間に接続され、制御端子が上記第１の論理出力端子に接続され、第１の論理出力電位が第１のレベルのときに導通する第４のスイッチ素子と、
上記第２の電源電位と上記制御節点間に接続され、制御端子が上記第２の論理出力端子に接続され、第２の論理出力電位が第１のレベルのときに導通する第５のスイッチ素子と、
を含む
請求項２記載の差動型センスアンプ回路。
【請求項５】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第１のスイッチ素子を含み、
上記第２の設定手段は、
中間節点と上記制御節点間に接続され、制御端子が上記第１の論理出力端子に接続され、第１の論理出力電位が第１のレベルのときに導通する第２のスイッチ素子と、
上記中間節点と上記制御節点間に接続され、制御端子が上記第２の論理出力節点に接続され、第２の論理出力電位が第１のレベルのときに導通する第３のスイッチ素子と、
上記第１の切換手段および第２の切換手段とを切り離し状態とすることが可能な第２の電源電位と上記中間節点間に接続され、上記第１のスイッチ素子が導通するときは非導通状態に保持され、当該第１のスイッチ素子が非導通状態に保持されるときは導通する第４のスイッチ素子と、
を含む
請求項１記載の差動型センスアンプ回路。
【請求項６】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第３のスイッチ素子を含み、
上記第２の設定手段は、
中間節点と上記制御節点間に接続され、制御端子が上記第１の論理出力端子に接続され、第１の論理出力電位が第１のレベルのときに導通する第４のスイッチ素子と、
上記中間節点と上記制御節点間に接続され、制御端子が上記第２の論理出力節点に接続され、第２の論理出力電位が第１のレベルのときに導通する第５のスイッチ素子と、
上記第１の切換手段および第２の切換手段とを切り離し状態とすることが可能な第２の電源電位と上記中間節点間に接続され、上記第３のスイッチ素子が導通するときは非導通状態に保持され、当該第３のスイッチ素子が非導通状態に保持されるときは導通する第６のスイッチ素子と、
を含む
請求項２記載の差動型センスアンプ回路。
【請求項７】  上記第１の設定手段の第１のスイッチ素子は、ゲートが制御信号の入力端子に接続されたｎチャネルの電荷効果トランジスタを含む
請求項３記載の差動型センスアンプ回路。
【請求項８】  上記第１の設定手段の第１のスイッチ素子は、ゲートが制御信号の入力端子に接続されたｐチャネルの電荷効果トランジスタを含む
請求項３記載の差動型センスアンプ回路。
【請求項９】  上記第１の設定手段の第３のスイッチ素子は、ゲートが制御信号の入力端子に接続されたｎチャネルの電荷効果トランジスタを含む
請求項４記載の差動型センスアンプ回路。
【請求項１０】  上記第１の設定手段の第３のスイッチ素子は、ゲートが制御信号の入力端子に接続されたｐチャネルの電荷効果トランジスタを含む
請求項４記載の差動型センスアンプ回路。
【請求項１１】  上記第１の設定手段の第１のスイッチ素子は、ゲートが制御信号の入力端子に接続されたｐチャネルの電荷効果トランジスタを含む
請求項５記載の差動型センスアンプ回路。
【請求項１２】  上記第１の設定手段の第３のスイッチ素子は、ゲートが制御信号の入力端子に接続されたｐチャネルの電荷効果トランジスタを含む
請求項６記載の差動型センスアンプ回路。
【請求項１３】  上記接続制御手段は、上記制御節点から論理が確定したことを示す完了信号を出力する
請求項１記載の差動型センスアンプ回路。
【請求項１４】  上記接続制御手段は、上記制御節点から論理が確定したことを示す完了信号を出力する
請求項２記載の差動型センスアンプ回路。
【請求項１５】  上記接続制御手段は、上記制御節点から論理が確定したことを示す完了信号を出力する
請求項３記載の差動型センスアンプ回路。
【請求項１６】  上記接続制御手段は、上記制御節点から論理が確定したことを示す完了信号を出力する
請求項７記載の差動型センスアンプ回路。
【請求項１７】  上記接続制御手段は、上記制御節点から論理が確定したことを示す完了信号を出力する
請求項８記載の差動型センスアンプ回路。
【請求項１８】  上記接続制御手段は、上記制御節点から論理が確定したことを示す完了信号を出力する
請求項１１記載の差動型センスアンプ回路。
【請求項１９】  制御信号に応じて休止相および稼働相の２つの相を交番する差動型センスアンプ回路であって、
第１の論理入力端子と、
第２の論理入力端子と、
第１の論理出力端子と、
第２の論理出力端子と、
センスアンプと、
初期設定手段と、
第１の切替手段と、
第２の切替手段と、
接続制御手段と、
を備え、
前記センスアンプは、
第１のインバータと第２のインバータを有し、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、
前記初期設定手段は、
休止相を示す制御信号を受けて上記第１のインバータの入力と第２のインバータの入力とを接続し、
前記第１の切替手段は、
上記第１の論理入力端子と第１の論理出力端子とを制御端子の電位に応じて電気的に接続または切り離し、
前記第２の切替手段は、
上記第２の論理入力端子と第２の論理出力端子とを制御端子の電位に応じて電気的に接続または切り離し、
前記接続制御手段は、
上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段と、
稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段と、
を有する差動型センスアンプ回路。
【請求項２０】  上記初期設定手段は、上記第１のインバータの入力と第２のインバータの入力とに間に接続され、休止相を示す制御信号を制御端子に受けて導通する第１のスイッチ素子を含む
請求項１９記載の差動型センスアンプ回路。
【請求項２１】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第１のスイッチ素子を含み、
上記第２の設定手段は、
上記第１の切換手段および第２の切換手段とを切り離し状態とすることが可能な第２の電源電位と上記制御節点間に接続され、制御端子が上記第１の論理出力端子に接続され、第１の論理出力電位が第１のレベルのときに導通する第２のスイッチ素子と、
上記第２の電源電位と上記制御節点間に接続され、制御端子が上記第２の論理出力端子に接続され、第２の論理出力電位が第１のレベルのときに導通する第３のスイッチ素子と、
を含む
請求項１９記載の差動型センスアンプ回路。
【請求項２２】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第２のスイッチ素子を含み、
上記第２の設定手段は、
上記第１の切換手段および第２の切換手段とを切り離し状態とすることが可能な第２の電源電位と上記制御節点間に接続され、制御端子が上記第１の論理出力端子に接続され、第１の論理出力電位が第１のレベルのときに導通する第３のスイッチ素子と、
上記第２の電源電位と上記制御節点間に接続され、制御端子が上記第２の論理出力端子に接続され、第２の論理出力電位が第１のレベルのときに導通する第４のスイッチ素子と、
を含む
請求項２０記載の差動型センスアンプ回路。
【請求項２３】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第１のスイッチ素子を含み、
上記第２の設定手段は、
中間節点と上記制御節点間に接続され、制御端子が上記第１の論理出力端子に接続され、第１の論理出力電位が第１のレベルのときに導通する第２のスイッチ素子と、
上記中間節点と上記制御節点間に接続され、制御端子が上記第２の論理出力節点に接続され、第２の論理出力電位が第１のレベルのときに導通する第３のスイッチ素子と、
上記第１の切換手段および第２の切換手段とを切り離し状態とすることが可能な第２の電源電位と上記中間節点間に接続され、上記第１のスイッチ素子が導通するときは非導通状態に保持され、当該第１のスイッチ素子が非導通状態に保持されるときは導通する第４のスイッチ素子と、
を含む
請求項１９記載の差動型センスアンプ回路。
【請求項２４】  上記接続制御手段の第１の設定手段は、
上記第１の切換手段および第２の切換手段とを接続状態とすることが可能な第１の電源電位と上記制御節点間に接続され、休止相を示す制御信号を制御端子に受けて導通する第２のスイッチ素子を含み、
上記第２の設定手段は、
中間節点と上記制御節点間に接続され、制御端子が上記第１の論理出力端子に接続され、第１の論理出力電位が第１のレベルのときに導通する第３のスイッチ素子と、
上記中間節点と上記制御節点間に接続され、制御端子が上記第２の論理出力節点に接続され、第２の論理出力電位が第１のレベルのときに導通する第４のスイッチ素子と、
上記第１の切換手段および第２の切換手段とを切り離し状態とすることが可能な第２の電源電位と上記中間節点間に接続され、上記第２のスイッチ素子が導通するときは非導通状態に保持され、当該第２のスイッチ素子が非導通状態に保持されるときは導通する第５のスイッチ素子と、
を含む
請求項２０記載の差動型センスアンプ回路。
【請求項２５】  上記第１の設定手段の第１のスイッチ素子は、ゲートが制御信号の入力端子に接続されたｎチャネルの電荷効果トランジスタを含む
請求項２１記載の差動型センスアンプ回路。
【請求項２６】  上記第１の設定手段の第１のスイッチ素子は、ゲートが制御信号の入力端子に接続されたｐチャネルの電荷効果トランジスタを含む
請求項２１記載の差動型センスアンプ回路。
【請求項２７】  上記第１の設定手段の第２のスイッチ素子は、ゲートが制御信号の入力端子に接続されたｎチャネルの電荷効果トランジスタを含む
請求項２２記載の差動型センスアンプ回路。
【請求項２８】  上記第１の設定手段の第２のスイッチ素子は、ゲートが制御信号の入力端子に接続されたｐチャネルの電荷効果トランジスタを含む
請求項２２記載の差動型センスアンプ回路。
【請求項２９】  上記第１の設定手段の第１のスイッチ素子は、ゲートが制御信号の入力端子に接続されたｐチャネルの電荷効果トランジスタを含む
請求項２３記載の差動型センスアンプ回路。
【請求項３０】  上記第１の設定手段の第２のスイッチ素子は、ゲートが制御信号の入力端子に接続されたｐチャネルの電荷効果トランジスタを含む
請求項２４記載の差動型センスアンプ回路。
【請求項３１】  上記接続制御手段は、上記制御節点から論理が確定したことを示す完了信号を出力する
請求項１９記載の差動型センスアンプ回路。
【請求項３２】  上記接続制御手段は、上記制御節点から論理が確定したことを示す完了信号を出力する
請求項２０記載の差動型センスアンプ回路。
【請求項３３】  上記接続制御手段は、上記制御節点から論理が確定したことを示す完了信号を出力する
請求項２１記載の差動型センスアンプ回路。
【請求項３４】  上記接続制御手段は、上記制御節点から論理が確定したことを示す完了信号を出力する
請求項２５記載の差動型センスアンプ回路。
【請求項３５】  上記接続制御手段は、上記制御節点から論理が確定したことを示す完了信号を出力する
請求項２６記載の差動型センスアンプ回路。
【請求項３６】  上記接続制御手段は、上記制御節点から論理が確定したことを示す完了信号を出力する
請求項２９記載の差動型センスアンプ回路。
【請求項３７】  制御信号に応じて休止相および稼働相の２つの相を交番する差動型センスアンプ回路であって、
第１の論理入力端子と、
第２の論理入力端子と、
第１の論理出力端子と、
第２の論理出力端子と、
センスアンプと、
初期設定手段と、
第１の切替手段と、
第２の切替手段と、
接続制御手段と、
を備え、
前記センスアンプは、
第１のインバータと第２のインバータを有し、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、
前記センスアンプは、
休止相を示す制御信号を受けて上記第１のインバータの入力と第２のインバータの入力とを接続する初期設定し、
前記第１の切替手段は、
上記第１の論理入力端子と第１の論理出力端子とを制御端子の電位に応じて電気的に接続または切り離し、
前記第２の切替手段は、
上記第２の論理入力端子と第２の論理出力端子とを制御端子の電位に応じて電気的に接続または切り離し、
前記接続制御手段は、
上記休止相時に、上記第１の論理出力端子および第２の論理出力端子のうち少なくとも一方の電位を受けて上記第１の切換手段および第２の切換手段の制御端子に接続された制御節点の電位を、第１および第２の切換手段が接続された各２端子間を少なくとも接続可能とする電位に設定する第１の設定手段と、稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段と、
を有する差動型センスアンプ回路。
【請求項３８】  上記初期設定手段は、上記第１のインバータの入力と第２のインバータの入力とに間に接続され、休止相を示す制御信号を制御端子に受けて導通する第１のスイッチ素子を含む
請求項３７記載の差動型センスアンプ回路。
【請求項３９】  上記接続制御手段の第１の設定手段は、
上記第１の切換手段および第２の切換手段とを接続状態とすることが可能な第１の電源電位と上記制御節点間に直列に接続され、それぞれ休止相時の第１の論理出力端子の電位および第２の論理出力端子の電位を制御端子に受けて導通する第１のスイッチ素子および第２のスイッチ素子を含み、
上記第２の設定手段は、
上記第１の切換手段および第２の切換手段とを切り離し状態とすることが可能な第２の電源電位と上記制御節点間に接続され、制御端子が上記第１の論理出力端子に接続され、第１の論理出力電位が第１のレベルのときに導通する第３のスイッチ素子と、
上記第２の電源電位と上記制御節点間に接続され、制御端子が上記第２の論理出力端子に接続され、第２の論理出力電位が第１のレベルのときに導通する第４のスイッチ素子と、
を含む
請求項３７記載の差動型センスアンプ回路。
【請求項４０】  上記接続制御手段の第１の設定手段は、
上記第１の切換手段および第２の切換手段とを接続状態とすることが可能な第１の電源電位と上記制御節点間に直列に接続され、それぞれ休止相時の第１の論理出力端子の電位および第２の論理出力端子の電位を制御端子に受けて導通する第２のスイッチ素子および第３のスイッチ素子を含み、
上記第２の設定手段は、
上記第１の切換手段および第２の切換手段とを切り離し状態とすることが可能な第２の電源電位と上記制御節点間に接続され、制御端子が上記第１の論理出力端子に接続され、第１の論理出力電位が第１のレベルのときに導通する第４のスイッチ素子と、
上記第２の電源電位と上記制御節点間に接続され、制御端子が上記第２の論理出力端子に接続され、第２の論理出力電位が第１のレベルのときに導通する第５のスイッチ素子と、
を含む
請求項３８記載の差動型センスアンプ回路。
【請求項４１】  上記第１の設定手段の第１および第２のスイッチ素子は、ゲートが制御信号の入力端子に接続されたｐチャネルの電荷効果トランジスタを含む
請求項３９記載の差動型センスアンプ回路。
【請求項４２】  上記第１の設定手段の第２および第３のスイッチ素子は、ゲートが制御信号の入力端子に接続されたｐチャネルの電荷効果トランジスタを含む
請求項４０記載の差動型センスアンプ回路。
【請求項４３】  上記接続制御手段は、上記制御節点から論理が確定したことを示す完了信号を出力する
請求項３７記載の差動型センスアンプ回路。
【請求項４４】  上記接続制御手段は、上記制御節点から論理が確定したことを示す完了信号を出力する
請求項３８記載の差動型センスアンプ回路。
【請求項４５】  上記接続制御手段は、上記制御節点から論理が確定したことを示す完了信号を出力する
請求項３９記載の差動型センスアンプ回路。
【請求項４６】  上記接続制御手段は、上記制御節点から論理が確定したことを示す完了信号を出力する
請求項４０記載の差動型センスアンプ回路。
【請求項４７】  上記接続制御手段は、上記制御節点から論理が確定したことを示す完了信号を出力する
請求項４１記載の差動型センスアンプ回路。
【請求項４８】  制御信号に応じて休止相および稼働相の２つの相を交番する動的論理回路であって、
第１の論理入力端子と、
第２の論理入力端子と、
第１の論理出力端子と、
第２の論理出力端子と、
第１のインバータと、
第２のインバータと、
センスアンプと、
初期設定手段と、
第１の切り替え手段と、
第２の切り替え手段と、
接続制御手段と、
差動型センスアンプ回路と、
２線式論理木と、
を備え、
前記センスアンプは、
第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、
前記初期設定手段は、
休止相を示す制御信号を受けて上記第１の論理入力端子および第２の論理入力端子を基準電位に初期設定し、
前記第１の切り替え手段は、
上記第１の論理入力端子と第１の論理出力端子とを制御端子の電位に応じて電気的に接続または切り離し、
前記第２の切り替え手段は、
上記第２の論理入力端子と第２の論理出力端子とを制御端子の電位に応じて電気的に接続または切り離し、
前記接続制御手段は、
上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段し、
前期差動型センスアンプ回路は、
稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段とを有し、
前記２線式論理木は、
それぞれ上記差動センスアンプ回路の第１の論理入力端子および第２の論理入力端子に接続された２線を有し、入力信号に応じて一方の線のみが基準電位に至る経路を形成し、
を有する動的論理回路。
【請求項４９】  制御信号に応じて休止相および稼働相の２つの相を交番する動的論理回路であって、
第１の論理入力端子と、
第２の論理入力端子と、
第１の論理出力端子と、
第２の論理出力端子と、
第１のインバータと、
第２のインバータと、
センスアンプと、
初期設定手段と、
第１の切り替え手段と、
第２の切り替え手段と、
接続制御手段と、
差動型センスアンプ回路と、
２線式論理木と、
を備え、
前記センスアンプは、
第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定し、
前記初期設定手段は、
休止相を示す制御信号を受けて上記第１のインバータの入力と第２のインバータの入力とを接続し、
前記第１の切り替え手段は、
上記第１の論理入力端子と第１の論理出力端子とを制御端子の電位に応じて電気的に接続または切り離し、
前記第２の切り替え手段は、
上記第２の論理入力端子と第２の論理出力端子とを制御端子の電位に応じて電気的に接続または切り離し、
前記接続制御手段は、
上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段と、
前期差動型センスアンプ回路は、
稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段とを有する差動型センスアンプ回路と、
前記２線式論理木は、
それぞれ上記差動センスアンプ回路の第１の論理入力端子および第２の論理入力端子に接続された２線を有し、入力信号に応じて一方の線のみが基準電位に至る経路を形成し、
を有する動的論理回路。
【請求項５０】  制御信号に応じて休止相および稼働相の２つの相を交番する動的論理回路であって、
第１の論理入力端子と、
第２の論理入力端子と、
第１の論理出力端子と、
第２の論理出力端子と、
第１のインバータと、
第２のインバータと、
センスアンプと、
初期設定手段と、
第１の切り替え手段と、
第２の切り替え手段と、
接続制御手段と、
差動型センスアンプ回路と、
２線式論理木と、
を備え、
前記センスアンプは、
第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定し、
前記初期設定手段は、
休止相を示す制御信号を受けて上記第１のインバータの入力と第２のインバータの入力とを接続し、
前記第１の切り替え手段は、
上記第１の論理入力端子と第１の論理出力端子とを制御端子の電位に応じて電気的に接続または切り離し、
第２の切り替え手段は、
上記第２の論理入力端子と第２の論理出力端子とを制御端子の電位に応じて電気的に接続または切り離し、
前記接続制御手段は、
上記休止相時に、上記第１の論理出力端子および第２の論理出力端子のうち少なくとも一方の電位を受けて上記第１の切換手段および第２の切換手段の制御端子に接続された制御節点の電位を、第１および第２の切換手段が接続された各２端子間を少なくとも接続可能とする電位に設定する第１の設定手段と、
前記差動型センスアンプ回路は、
稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段とを有し、
前記２線式論理木は、
それぞれ上記差動センスアンプ回路の第１の論理入力端子および第２の論理入力端子に接続された２線を有し、入力信号に応じて一方の線のみが基準電位に至る経路を形成し、
を有する動的論理回路。
【手続補正２】
【補正対象書類名】明細書
【補正対象項目名】０００６
【補正方法】変更
【補正の内容】
【０００６】
以上の構成を有する差動型センスアンプ回路１０は、上記文献に記載されたＤＣＳＬ(Differential Current Switch Logic) ３式のセンスアンプ回路である。
以下にこの差動型センスアンプ回路１０の動作原理を、シミュレーション波形を示す図２５および図２６に関連付けて説明する。
なお、ここでは、休止相から稼働相に切り替わる基点をクロックＣＬＫの立ち上がりと仮定している。ＤＣＳＬ３方式のセンスアンプ回路では、制御信号の立ち下がりを稼働相への基点としているため、以下の説明ではクロックの反転信号ＣＬＫ＿Ｘを導入し、説明で用いる。
【手続補正３】
【補正対象書類名】明細書
【補正対象項目名】００２７
【補正方法】変更
【補正の内容】
【００２７】
【課題を解決するための手段】
上記目的を達成するため、本発明は、制御信号に応じて休止相および稼働相の２つの相を交番する差動型センスアンプ回路であって、第１の論理入力端子と、第２の論理入力端子と、第１の論理出力端子と、第２の論理出力端子と、センスアンプと、初期設定手段と、
第１の切替手段と、第２の切替手段と、接続制御手段と、を備え、前記センスアンプは、第１のインバータと第２のインバータを有し、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、前記初期設定手段は、休止相を示す制御信号を受けて上記第１の論理入力端子および第２の論理入力端子を基準電位に初期設定し、前記第１の切替手段は、上記第１の論理入力端子と第１の論理出力端子とを制御端子の電位に応じて電気的に接続または切り離し、前記第２の切替手段は、上記第２の論理入力端子と第２の論理出力端子とを制御端子の電位に応じて電気的に接続または切り離し、
前記接続制御手段は、上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段と、稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する。
【手続補正４】
【補正対象書類名】明細書
【補正対象項目名】００３３
【補正方法】変更
【補正の内容】
【００３３】
また、本発明では、上記第１の設定手段の第１のスイッチ素子あるいは第３のスイッチ素子は、ゲートが制御信号の入力端子に接続されたｎチャネルの電荷効果トランジスタを含む。
【手続補正５】
【補正対象書類名】明細書
【補正対象項目名】００３４
【補正方法】変更
【補正の内容】
【００３４】
また、本発明では、上記第１の設定手段の第１のスイッチ素子あるいは第３のスイッチ素子は、ゲートが制御信号の入力端子に接続されたｐチャネルの電荷効果トランジスタを含む。
【手続補正６】
【補正対象書類名】明細書
【補正対象項目名】００３５
【補正方法】変更
【補正の内容】
【００３５】
制御信号に応じて休止相および稼働相の２つの相を交番する差動型センスアンプ回路であって、第１の論理入力端子と、第２の論理入力端子と、第１の論理出力端子と、第２の論理出力端子と、センスアンプと、初期設定手段と、第１の切替手段と、第２の切替手段と、接続制御手段と、を備え、前記センスアンプは、第１のインバータと第２のインバータを有し、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、前記初期設定手段は、休止相を示す制御信号を受けて上記第１のインバータの入力と第２のインバータの入力とを接続し、前記第１の切替手段は、上記第１の論理入力端子と第１の論理出力端子とを制御端子の電位に応じて電気的に接続または切り離し、
前記第２の切替手段は、上記第２の論理入力端子と第２の論理出力端子とを制御端子の電位に応じて電気的に接続または切り離し、前記接続制御手段は、上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段と、稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する。
【手続補正７】
【補正対象書類名】明細書
【補正対象項目名】００４１
【補正方法】変更
【補正の内容】
【００４１】
また、本発明では、上記第１の設定手段の第１のスイッチ素子あるいは第２のスイッチ素子は、ゲートが制御信号の入力端子に接続されたｎチャネルの電荷効果トランジスタを含む。
【手続補正８】
【補正対象書類名】明細書
【補正対象項目名】００４２
【補正方法】変更
【補正の内容】
【００４２】
また、本発明では、上記第１の設定手段の第１のスイッチ素子あるいは第２のスイッチ素子は、ゲートが制御信号の入力端子に接続されたｐチャネルの電荷効果トランジスタを含む。
【手続補正９】
【補正対象書類名】明細書
【補正対象項目名】００４３
【補正方法】変更
【補正の内容】
【００４３】
また、本発明は、制御信号に応じて休止相および稼働相の２つの相を交番する差動型センスアンプ回路であって、第１の論理入力端子と、第２の論理入力端子と、第１の論理出力端子と、第２の論理出力端子と、センスアンプと、初期設定手段と、第１の切替手段と、第２の切替手段と、接続制御手段と、を備え、前記センスアンプは、第１のインバータと第２のインバータを有し、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、前記センスアンプは、休止相を示す制御信号を受けて上記第１のインバータの入力と第２のインバータの入力とを接続する初期設定し、
前記第１の切替手段は、上記第１の論理入力端子と第１の論理出力端子とを制御端子の電位に応じて電気的に接続または切り離し、前記第２の切替手段は、上記第２の論理入力端子と第２の論理出力端子とを制御端子の電位に応じて電気的に接続または切り離し、前記接続制御手段は、上記休止相時に、上記第１の論理出力端子および第２の論理出力端子のうち少なくとも一方の電位を受けて上記第１の切換手段および第２の切換手段の制御端子に接続された制御節点の電位を、第１および第２の切換手段が接続された各２端子間を少なくとも接続可能とする電位に設定する第１の設定手段と、稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段と有する。
【手続補正１０】
【補正対象書類名】明細書
【補正対象項目名】００４７
【補正方法】変更
【補正の内容】
【００４７】
また、本発明では、上記第１の設定手段の第１および第２のスイッチ素子は、ゲートが制御信号の入力端子に接続されたｐチャネルの電荷効果トランジスタを含む。
【手続補正１１】
【補正対象書類名】明細書
【補正対象項目名】００４９
【補正方法】変更
【補正の内容】
【００４９】
また、本発明は、制御信号に応じて休止相および稼働相の２つの相を交番する動的論理回路であって、第１の論理入力端子と、第２の論理入力端子と、第１の論理出力端子と、第２の論理出力端子と、第１のインバータと、第２のインバータと、センスアンプと、初期設定手段と、第１の切り替え手段と、第２の切り替え手段と、接続制御手段と、差動型センスアンプ回路と、２線式論理木と、を備え、前記センスアンプは、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定させ、
前記初期設定手段は、休止相を示す制御信号を受けて上記第１の論理入力端子および第２の論理入力端子を基準電位に初期設定し、前記第１の切り替え手段は、上記第１の論理入力端子と第１の論理出力端子とを制御端子の電位に応じて電気的に接続または切り離し、前記第２の切り替え手段は、上記第２の論理入力端子と第２の論理出力端子とを制御端子の電位に応じて電気的に接続または切り離し、前記接続制御手段は、上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段し、前期差動型センスアンプ回路は、稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段とを有し、前記２線式論理木は、それぞれ上記差動センスアンプ回路の第１の論理入力端子および第２の論理入力端子に接続された２線を有し、入力信号に応じて一方の線のみが基準電位に至る経路を形成し、を有する。
【手続補正１２】
【補正対象書類名】明細書
【補正対象項目名】００５０
【補正方法】変更
【補正の内容】
【００５０】
また、本発明は、制御信号に応じて休止相および稼働相の２つの相を交番する動的論理回路であって、第１の論理入力端子と、第２の論理入力端子と、第１の論理出力端子と、第２の論理出力端子と、第１のインバータと、第２のインバータと、センスアンプと、初期設定手段と、第１の切り替え手段と、第２の切り替え手段と、接続制御手段と、差動型センスアンプ回路と、２線式論理木と、を備え、前記センスアンプは、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定し、
前記初期設定手段は、休止相を示す制御信号を受けて上記第１のインバータの入力と第２のインバータの入力とを接続し、前記第１の切り替え手段は、上記第１の論理入力端子と第１の論理出力端子とを制御端子の電位に応じて電気的に接続または切り離し、前記第２の切り替え手段は、上記第２の論理入力端子と第２の論理出力端子とを制御端子の電位に応じて電気的に接続または切り離し、前記接続制御手段は、上記休止相を示す制御信号を受けて上記第１の切換手段および第２の切換手段の制御端子に接続された制御節点の電位を、第１および第２の切換手段が接続された各２端子間を少なくとも接続可能とする電位に設定する第１の設定手段と、前期差動型センスアンプ回路は、稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段とを有する差動型センスアンプ回路と、
前記２線式論理木は、それぞれ上記差動センスアンプ回路の第１の論理入力端子および第２の論理入力端子に接続された２線を有し、入力信号に応じて一方の線のみが基準電位に至る経路を形成し、を有する。
【手続補正１３】
【補正対象書類名】明細書
【補正対象項目名】００５１
【補正方法】変更
【補正の内容】
【００５１】
また、本発明は、制御信号に応じて休止相および稼働相の２つの相を交番する動的論理回路であって、第１の論理入力端子と、第２の論理入力端子と、第１の論理出力端子と、第２の論理出力端子と、第１のインバータと、第２のインバータと、センスアンプと、初期設定手段と、第１の切り替え手段と、第２の切り替え手段と、接続制御手段と、差動型センスアンプ回路と、２線式論理木と、を備え、前記センスアンプは、第１のインバータの出力と第２のインバータの入力とが接続され、その接続点が上記第１の論理出力端子に接続され、第１のインバータの入力と第２のインバータの出力とが接続され、その接続点が上記第２の論理出力端子に接続され、稼働相を示す制御信号を受けて稼働し、第１の論理入力および第２の論理入力が持つ導通抵抗の差に応じて第１の論理出力および第２の論理出力の論理電位を異なる第１のレベルおよび第２のレベルに確定し、
前記初期設定手段は、休止相を示す制御信号を受けて上記第１のインバータの入力と第２のインバータの入力とを接続し、前記第１の切り替え手段は、上記第１の論理入力端子と第１の論理出力端子とを制御端子の電位に応じて電気的に接続または切り離し、第２の切り替え手段は、上記第２の論理入力端子と第２の論理出力端子とを制御端子の電位に応じて電気的に接続または切り離し、
前記接続制御手段は、上記休止相時に、上記第１の論理出力端子および第２の論理出力端子のうち少なくとも一方の電位を受けて上記第１の切換手段および第２の切換手段の制御端子に接続された制御節点の電位を、第１および第２の切換手段が接続された各２端子間を少なくとも接続可能とする電位に設定する第１の設定手段と、前記差動型センスアンプ回路は、稼働相時に上記第１の論理出力端子または第２の論理出力端子の電位に応じて上記制御節点の電位を、第１および第２の切換手段が接続された各２端子間を少なくとも切り離し可能とする電位に設定する第２の設定手段とを有する接続制御手段とを有し、前記２線式論理木は、それぞれ上記差動センスアンプ回路の第１の論理入力端子および第２の論理入力端子に接続された２線を有し、入力信号に応じて一方の線のみが基準電位に至る経路を形成し、を有する。
【手続補正１４】
【補正対象書類名】明細書
【補正対象項目名】００５２
【補正方法】変更
【補正の内容】
【００５２】
本発明によれば、休止相を示す制御信号が供給されると、センスアンプ回路の第１の論理出力端子および第２の論理出力端子が基準電位、たとえば０Ｖ（第２のレベル）に初期設定される。
これにより、接続設定手段の第２の設定手段による第２の電源電位への設定は抑止され、第１の設定手段により制御節点が略第１の電源電位に設定される。その結果、第１の切換手段により第１の論理入力端子と第１の論理出力端子が電気的に接続され、かつ第２の切換手段により第２の論理入力端子と第２の論理出力端子が電気的に接続される。
ここで、稼働相に切り換わると、接続設定手段の第１の設定手段による第１の電源電位への設定は抑止され、第２の設定手段により制御節点が第２の電源電位に設定される。
そして、センスアンプにおいて、第１および第２の論理入力が持つ導通抵抗の差に応じて第１の論理出力電位と第２の論理出力の論理電位が（第１のレベル，第２のレベル）か（第２のレベル，第１のレベル）に確定される。